(57)【要約】【課題】複数のＩＣタグから相互に矛盾する情報を受信した場合でも適切な処理を行える撮像装置を提供する。【解決手段】例えばデジタルカメラとして構成される撮像装置１では、ＩＣタグＴａ、Ｔｂに記憶される記憶情報の読取りが可能となっている。この記憶情報には、その優先度合いを示す付加情報を予め付与しておく。以上により、例えば撮像装置１が読取ったＩＣタグＴａ、Ｔｂの各記憶情報が相容れない撮影条件の設定要求を含んでいる場合でも、上記の付加情報の優先度合いに基づき優先すべき記憶情報を選定できる。その結果、複数のＩＣタグから相互に矛盾する情報を受信した場合でも適切な処理を行えることとなる。【選択図】図４
2006246330.tif 000002
【特許請求の範囲】
【請求項１】
撮像装置であって、
(a)複数のＩＣタグに記憶される各記憶情報の読取りが可能な読取り手段と、
(b)前記読取り手段で読取られた各記憶情報に付与される付加情報に基づき、前記各記憶情報から優先される記憶情報を選定する選定手段と、
を備え、
前記付加情報は、前記記憶情報に関する優先度合いを示す情報であることを特徴とする撮像装置。
【請求項２】
請求項１に記載の撮像装置において、
(c)前記選定手段により選定された記憶情報に基づき、前記撮像装置に関する撮影条件を設定する設定手段、
をさらに備えることを特徴とする撮像装置。
【請求項３】
請求項１または請求項２に記載の撮像装置において、
前記優先度合いは、数値で表されることを特徴とする撮像装置。
【請求項４】
請求項１ないし請求項３のいずれかに記載の撮像装置において、
前記複数のＩＣタグのうち前記撮像装置のユーザが所有するＩＣタグに対してのみ、前記優先度合いの変更が可能であることを特徴とする撮像装置。
【請求項５】
請求項１ないし請求項３のいずれかに記載の撮像装置において、
前記優先度合いに関しては、優先度合いが最高となる上限が定められており、
前記上限近傍の優先度合いが記憶されるＩＣタグに対しては、前記撮像装置のユーザによる優先度合いの変更が禁止されることを特徴とする撮像装置。
【請求項６】
請求項１ないし請求項５のいずれかに記載の撮像装置において、
ＩＣタグが設けられる場所に応じて前記優先度合いが定められることを特徴とする撮像装置。
【発明の詳細な説明】
【技術分野】
【０００１】
本発明は、ＩＣタグに記憶される各記憶情報の読取りが可能な撮像装置に関する。
【背景技術】
【０００２】
ＩＣタグと呼ばれるデバイスが開発され、高い注目を集めている。このＩＣタグは、例えば１ミリ角以下のＩＣ(集積回路)チップに情報を記憶し、無線電波で読み出しを行えるタグ(荷札)として構成されており、様々な利用方法も提案されている（例えば特許文献１参照）。
【０００３】
【特許文献１】特開２００１−１４５１７３号公報
【発明の開示】
【発明が解決しようとする課題】
【０００４】
しかしながら、上記ＩＣタグからの情報をデジタルカメラ(撮像装置)で受信して利用する場合、撮像装置の周辺に複数のＩＣタグが存在すると、受信可能なＩＣタグそれぞれからの情報を受信することとなる。ここで、受信した各情報において相互に矛盾した内容を含む場合には、いずれの情報を選択すべきかをデジタルカメラで的確に判断するのは難しい。
【０００５】
本発明は、上記課題に鑑みてなされたものであり、複数のＩＣタグから相互に矛盾する情報を受信した場合でも適切な処理を行える撮像装置を提供することを目的とする。
【課題を解決するための手段】
【０００６】
上記の課題を解決するため、請求項１の発明は、撮像装置であって、(a)複数のＩＣタグに記憶される各記憶情報の読取りが可能な読取り手段と、(b)前記読取り手段で読取られた各記憶情報に付与される付加情報に基づき、前記各記憶情報から優先される記憶情報を選定する選定手段とを備え、前記付加情報は、前記記憶情報に関する優先度合いを示す情報である。
【０００７】
また、請求項２の発明は、請求項１の発明に係る撮像装置において、(c)前記選定手段により選定された記憶情報に基づき、前記撮像装置に関する撮影条件を設定する設定手段をさらに備える。
【０００８】
また、請求項３の発明は、請求項１または請求項２の発明に係る撮像装置において、前記優先度合いは、数値で表される。
【０００９】
また、請求項４の発明は、請求項１ないし請求項３のいずれかの発明に係る撮像装置において、前記複数のＩＣタグのうち前記撮像装置のユーザが所有するＩＣタグに対してのみ、前記優先度合いの変更が可能である。
【００１０】
また、請求項５の発明は、請求項１ないし請求項３のいずれかの発明に係る撮像装置において、前記優先度合いに関しては、優先度合いが最高となる上限が定められており、前記上限近傍の優先度合いが記憶されるＩＣタグに対しては、前記撮像装置のユーザによる優先度合いの変更が禁止される。
【００１１】
また、請求項６の発明は、請求項１ないし請求項５のいずれかの発明に係る撮像装置において、ＩＣタグが設けられる場所に応じて前記優先度合いが定められる。
【発明の効果】
【００１２】
上記の課題を解決するため、請求項１ないし請求項６の発明は、ＩＣタグの各記憶情報に付与された優先度合いを示す付加情報に基づき各記憶情報から優先される記憶情報を選定するため、複数のＩＣタグから相互に矛盾する情報を受信した場合でも適切な処理を行える。
【００１３】
特に、請求項２の発明は、選定された記憶情報に基づき撮像装置に関する撮影条件を設定するため、ＩＣタグからの情報を反映した撮影条件の設定を適切に行える。
【００１４】
また、請求項３の発明は、優先度合いが数値で表されるため、数値の大小を比較することで簡易に優先度合いの判定を行える。
【００１５】
また、請求項４の発明は、複数のＩＣタグのうち撮像装置のユーザが所有するＩＣタグに対してのみ優先度合いの変更が可能であるため、優先度合いの無秩序な変更を制限でき、優先度合いに関する運用の適正化を図れる。
【００１６】
また、請求項５の発明は、上限近傍の優先度合いが記憶されるＩＣタグに対しては撮像装置のユーザによる優先度合いの変更が禁止されるため、優先度合いの無秩序な変更を制限でき、優先度合いに関する運用の適正化を図れる。
【００１７】
また、請求項６の発明は、ＩＣタグが設けられる場所に応じて優先度合いが定められるため、例えば公共の場所に設置されるＩＣタグの優先度合いを高くするなどして、場所に応じた優先度合いの適切な管理が可能となる。
【発明を実施するための最良の形態】
【００１８】
＜撮像装置の要部構成＞
図１は、本発明の実施形態に係る撮像装置１を示す斜視図である。また、図２は、撮像装置１の背面図である。なお、図１および図２には方位関係を明確にするために互いに直交するＸ，Ｙ，Ｚの三軸を示している。
【００１９】
撮像装置１は、例えばデジタルカメラとして構成されており、その前面には撮影レンズ１０とフラッシュ１１と測距窓１２とが設けられている。撮影レンズ１０の内側には撮影レンズ１０を介して入射する被写体像を光電変換して画像信号を生成する撮像素子(撮像手段)であるＣＣＤ(Charge Coupled Device)２が設けられている。
【００２０】
撮影レンズ１０には光軸方向に沿って駆動可能なレンズ系が含まれており、当該レンズ系を光軸方向に駆動することにより、ＣＣＤ２に結像される被写体像の合焦状態を実現することができるように構成されている。
【００２１】
撮像装置１の上面には、レリーズボタン１４と、撮影モード設定キー１５と、液晶パネル１６とが配置されている。レリーズボタン１４は、半押し(Ｓ１オン)状態と全押し(Ｓ２オン)状態との２段階を区別して検知可能な押し込みスイッチであり、半押し状態のときにオートフォーカス(ＡＦ)動作を実行し、全押し状態のときに記録用画像を取得するための本撮影動作を行う。
【００２２】
撮影モード設定キー１５では、液晶パネル１６に表示される設定情報をユーザが視認しつつ、絞り優先やシャッタースピード優先という露光条件の設定や、マクロ撮影の切替え、ズーム等の設定が可能となっている。
【００２３】
撮像装置１の側面には、ユーザによるレリーズボタン１４の押下操作に伴う本撮影動作で得られる画像データを記録するためのメモリカード９を着装する挿入口１６が設けられている。
【００２４】
撮像装置１の背面には、本撮影前に被写体を動画的態様で表示するライブビュー表示や撮影した画像等の再生表示を行うための液晶モニタ１８および電子ファインダ１９と、撮影・再生選択キー２０と、情報表示形態を切替えるための表示情報変更キー２１と、カーソルキー２２とが設けられている。
【００２５】
撮影・再生選択キー２０は、撮影状態(撮影モード)と再生状態(再生モード)との切替えを行うための操作部材である。具体的には、ユーザにより次の表１のように撮影状態または再生状態が選択される。
【００２６】
【表１】
2006246330.tif 000003
【００２７】
カーソルキー２２は、撮影時のズーミングを調整したり、画像再生時のコマ送り等を行うための操作部材である。
【００２８】
図３は、撮像装置１の機能ブロックを示す図である。図中において、矢印付き太線は画像データの流れを示し、矢印付き細線は制御データの流れを示している。
【００２９】
まず、ユーザは、撮影・再生選択キー２０と液晶モニタ１８とで、表１に示す撮影状態か再生状態かを選択する。以下では、撮影状態と再生状態とに分けて説明する。
【００３０】
(１)撮影状態
撮影・再生選択キー２０がＯＦＦの場合、すなわち撮影状態が設定されている場合には、ユーザは撮影モード設定キー１５と液晶パネル１６とにより、例えばシャッタスピード優先などの露光条件の設定や、例えばホワイトバランスモード(画像処理モード)の切替えなどの設定が行える。
【００３１】
レリーズボタン１４が押下されると、ＣＰＵ２３は、その時の撮影条件および画像処理モードの設定を読み取り撮影動作を行う。この場合、一部の撮影条件については、ＩＣタグリーダ３０が撮像装置１の周辺に存在する受信可能なＩＣタグを検出し、メモリ２９に記憶されるＩＣタグからの情報が読み出される(後で詳述)。ＩＣタグにない他の撮影条件の設定に関しては、ユーザが撮影モード設定キー１５を操作することで設定された情報が読み出される。なお、上記のＩＣタグリーダ３０は、ＩＣタグに記憶される情報の書換えを行えるＩＣタグライターとしての機能も有している。
【００３２】
また、フラッシュ撮影が設定されていれば、ＣＰＵ２３は、発光タイミングや発光時間に従ってフラッシュ１１を制御する。この場合、計時部３１によりフラッシュ１１の発光開始や発光停止の計時が行われることとなる。
【００３３】
上記の撮影動作では、撮影レンズ駆動部２４を介して撮影レンズ１０を被写体に合焦させるように駆動する。そして、ＣＣＤ２の積分動作つまり電荷蓄積を行い、画像データが読出される。このＣＣＤ２は、ＣＣＤ・Ｉ/Ｆ２５を介して駆動制御されており、駆動タイミングパルスはＴＧ(タイミング・ジェネレータ)２５によって生成される。また、タイミング制御部２６は、ＴＧ２５およびＡ／Ｄコンバータ２７に対するクロックを生成する。
【００３４】
ＣＣＤ２で取得された画像データは、Ａ/Ｄコンバータ２７でデジタルデータに変換される。このＡ/Ｄコンバータ２７は、タイミング制御部２６で生成されるタイミングパルスに基づいて、ＣＣＤ２から出力されるアナログ信号をデジタル信号に変換する。
【００３５】
画像処理部２８では、Ａ／Ｄコンバータ２７から伝送される画像データに対して、例えばゲイン処理やホワイトバランス補正、シェーディングテーブルを用いた色シェーディング補正などの画像処理を行い、処理された画像データは記録媒体として働くメモリカード９に記録される。
【００３６】
(２)再生状態
撮影・再生選択キー２０がＯＮの場合、すなわち再生状態に設定されている場合には、ＣＰＵ２３は、メモリカード９から画像データを読出し、メモリ２９に一旦記憶する制御を行う。そして、ＣＰＵ２３は、メモリ２９に記憶された画像データを画像処理部２８に転送する。画像処理部２８では、メモリ２９から転送された画像データを液晶モニタ１８や電子ファインダ１９で表示可能なフォーマットに変換する処理を行い、変換された画像データは液晶モニタ１８等に送られて、その表示が行われる。
【００３７】
＜ＩＣタグの記憶情報に基づく撮影条件の設定について＞
撮像装置１では、上述のように撮像装置１から離れた位置にあるＩＣタグをＩＣタグリーダ３０によって検出し、その設定要求を読み取ることで撮影条件の設定を行える。ここで、ＩＣタグリーダ３０が複数のＩＣタグを検出する場合には、それらから互いに相容れない設定要求などを受信するケースも想定されるが、このようなケースにおける撮像装置１の処理について具体的に説明する。
【００３８】
図４は、撮像装置１の周辺に２個のＩＣタグＴａ、Ｔｂが存在する一例を示す図である。
【００３９】
ＩＣタグＴａは、撮像装置１により被写体ＳＢを撮影するユーザＵＲが例えば服のポケット内に所持しており、ＩＣタグＴｂは、被写体ＳＢに埋め込まれている。そして、撮像装置１は、各ＩＣタグＴａ、Ｔｂを検出し、その記憶情報をＩＣタグリーダ３０によって読み取ることが可能となっている。
【００４０】
以上の状況における撮像装置１の処理について３つの具体例(ケース)を挙げて説明する。
【００４１】
（１）具体例１
具体例１は、ＩＣタグＴａ、Ｔｂが次の表２に示す情報を記憶しているケースである。
【００４２】
【表２】
2006246330.tif 000004
【００４３】
表２のように各ＩＣタグＴａ、Ｔｂには、「撮影条件区分」、「要求内容」、「強制／禁止」および「優先順位」の４種類の項目に分類されて情報が記録されているが、これらの項目について簡単に説明する。
【００４４】
撮影条件区分では、撮影モードやフラッシュなどの撮影条件の区分(大分類)が格納されており、要求内容の項目では、撮影条件区分の撮影条件において要求される具体的な条件(撮影制御情報)が格納されている。なお、表２では撮影条件区分および要求内容を言葉で表現しているが、実際にはコード化（例えば撮影モード＝０００１、絞り優先＝００１）されて記録されている。
【００４５】
強制／禁止の項目においては、撮影条件設定の強制を「１」で表し、撮影条件設定の禁止を「０」で表している。また、優先順位については、相容れない複数の要求内容の場合に優先すべき要求内容を決定するために付与される付加情報として記録されており、最低値「１」から最高値「１０」までの１０段階の数値で撮影条件区分の要求内容(記憶情報)の優先順位を表している。この優先順位は、数値が大きいほど優先度合いが高くなる。このように優先順位が数値(絶対値)として表されるため、各数値を相対比較することで、後述のように相容れない複数の記憶情報から適切な情報の選定を簡単に行えることとなる。
【００４６】
以上より、表２に示す情報によれば、ＩＣタグＴａは撮影モードにおいて絞り優先を設定することを撮像装置１に要求し、ＩＣタグＴｂはフラッシュ撮影において全ての発光動作（赤目防止や通常発光など）の禁止、つまりフラッシュ撮影自体の禁止を要求している。
【００４７】
このように各ＩＣタグＴａ、Ｔｂにおいて撮影条件区分の内容が異なる場合には、ＩＣタグＴａ、Ｔｂからの撮影条件の設定要求を同時に満足できるため、撮像装置１では優先順位の項目(表２)を参照するまでもなく双方の撮影条件を満たす設定処理を行う。すなわち、撮像装置１においては、フラッシュ１１による発光を禁止して絞り優先で撮影するように設定される。なお、ＩＣタグＴａ、Ｔｂで設定要求されていない撮影条件については、例えばユーザが撮影モード設定キー１５を操作することで設定される。
【００４８】
なお、ユーザＵＲがＩＣタグＴａを所持していることが撮像装置１において判断できる場合には、ＩＣタグＴａの記憶情報に基づき設定された撮影条件については、ユーザＵＲが例えば撮影モード設定キー１５を操作することで自由に変更できるようにしても良い。この場合、例えばＩＣタグＴａに撮像装置１固有の情報(例えば識別情報)を記憶させておけば、撮像装置１を保有するユーザＵＲが所持するＩＣタグであることが推定できることとなる。
【００４９】
（２）具体例２
具体例２は、ＩＣタグＴａ、Ｔｂが次の表３に示す情報を記憶しているケースである。
【００５０】
【表３】
2006246330.tif 000005
【００５１】
表３に示す情報によれば、ＩＣタグＴａは通常発光によるフラッシュ撮影を強制することを撮像装置１に要求し、ＩＣタグＴｂはフラッシュ撮影における全ての発光動作を禁止することを要求している。
【００５２】
このように各ＩＣタグＴａ、Ｔｂにおいては、撮影条件区分が一致し要求内容が重複するが、強制／禁止が異なっており、相容れない撮影条件の設定要求となっている。そこで、撮像装置１は、ＩＣタグＴａ、Ｔｂに記憶される優先順位の情報を参照して優先順位が高い設定要求に基づく設定を行う。具体的には、ＩＣタグＴａの優先順位「５」に対してＩＣタグＴｂの優先順位「１０」の方が大きいため、撮像装置１は、フラッシュ禁止で撮影するように撮影条件を設定する。
【００５３】
以上のようにＩＣタグリーダ３０で読取られたＩＣタグＴａ、Ｔｂの各記憶情報が矛盾する内容を含んでいる場合には各記憶情報に付与される優先順位の情報に基づき、優先される撮影条件の設定要求を選ぶため、複数のＩＣタグで矛盾する撮影条件の設定要求がある場合でも、速やかな調停を行えることとなる。
【００５４】
なお、ＩＣタグＴｂが被写体ＳＢ側に設けられていることが判断できる場合には、ＩＣタグＴｂにおけるフラッシュ撮影禁止の要求をユーザが独断で書換えることを禁止するのが好ましい。
【００５５】
（３）具体例３
具体例３は、ＩＣタグＴａ、Ｔｂが次の表４に示す情報を記憶しているケースである。
【００５６】
【表４】
2006246330.tif 000006
【００５７】
表４によれば、ＩＣタグＴａは通常発光によるフラッシュ撮影を強制することを撮像装置１に要求し、ＩＣタグＴｂはフラッシュ撮影における全ての発光動作を禁止することを要求している。
【００５８】
このように各ＩＣタグＴａ、Ｔｂにおいては、撮影条件区分が一致し要求内容が重複するが、強制／禁止が相違しており、相容れない要求内容となっている。さらに、ＩＣタグＴａ、Ｔｂでは優先順位も等しくなっており、優先順位に基づく調停も不可能である。
【００５９】
上記のような場合には、撮像装置１から警告音などを発してユーザＵＲに調停不能を伝え、手動による撮影条件の設定を促すようにする。これにより、優先順位に基づく調停が不可能の場合でも、ユーザによる撮影条件の設定が行われる。
【００６０】
以上のように複数のＩＣタグで相容れない撮影条件の設定要求があり、優先順位も同一である場合にはユーザに警告して手動設定を行わせるため、撮影条件の設定を確実に行えることとなる。
【００６１】
なお、具体例３のケースにおいては、警告音を発するとともにＩＣタグＴｂの禁止の要求を優先しフラッシュ撮影禁止を自動的に設定するようにしても良い。
【００６２】
また、ＩＣタグＴｂが被写体ＳＢ側に設けられていることが判断できる場合には、警告音を発するとともにＩＣタグＴｂの設定要求を優先するようにしても良い。
【００６３】
以上の構成を有する撮像装置１の基本的な動作について、以下で説明する。
【００６４】
＜撮像装置１の動作＞
図５は、撮像装置１の基本的な動作を示すフローチャートである。本動作は、ＣＰＵ２３によって実行される。
【００６５】
ステップＳＴ１では、ユーザによりレリーズボタン１４の半押し(Ｓ１オン)が行われたかを判定する。ここで、半押しされた場合には、ステップＳＴ２に進み、半押しされていない場合には、ステップＳＴ１を繰り返す。
【００６６】
ステップＳＴ２では、撮像装置１の周辺において受信可能なＩＣタグをＩＣタグリーダ３０によって検出する。この際には、検出したＩＣタグの数をカウントし、メモリ２９に格納されるパラメータｎ、ｍに記憶する。
【００６７】
ステップＳＴ３では、パラメータｍ＝０であるかを判定する。ここで、ステップＳＴ２においてＩＣタグが検出されない場合などのようにｍ＝０の条件を満たす場合には、ステップＳＴ２２に進み、ｍ＞０の場合には、ステップＳＴ４に進む。
【００６８】
ステップＳＴ４では、パラメータｍ＝ｎであるかを判定する。ここで、ｍ＝ｎの場合には、ステップＳＴ５に進み、ｍ＜ｎの場合には、ステップＳＴ８に進む。
【００６９】
ステップＳＴ５では、ステップＳＴ２で検出されたｎ個のＩＣタグのうち１個目のＩＣタグに関する撮影条件の設定要求をＩＣタグリーダ３０によりスキャンして読み取る。
【００７０】
ステップＳＴ６では、ステップＳＴ５でスキャンした設定要求をメモリ２９に記憶する。この場合、後述する２個目以降のＩＣタグの設定要求と異なり、ステップＳＴ５でスキャンした設定要求は無条件でメモリ２９に記憶されることとなる。
【００７１】
ステップＳＴ７では、ＩＣタグ内の全ての設定要求をスキャンして記憶する処理が完了したかを判定する。ここで、処理が完了した場合には、ステップＳＴ２１に進み、未完の場合には、ステップＳＴ５に戻る。
【００７２】
ステップＳＴ８では、ステップＳＴ２で検出されたｎ個のＩＣタグのうちステップＳ５でスキャンされたＩＣタグとは別のＩＣタグに関する撮影条件の設定要求をＩＣタグリーダ３０によりスキャンする。
【００７３】
ステップＳＴ９では、ステップＳＴ８でスキャンされた設定要求における撮影条件区分に対して、メモリ２９に記憶される設定要求の撮影条件区分のうち一致するものがあるか否かを判定する。ここで、撮影条件区分が一致するものがある場合には、ステップＳＴ１０に進み、一致するものがない場合には、ステップＳＴ１４に進む。
【００７４】
ステップＳＴ１０では、ステップＳＴ８でスキャンされた設定要求における要求内容に対して、ステップＳＴ９で撮影条件区分が一致したメモリ２９内の設定要求において要求内容の重複するものがあるか否かを判定する。この要求内容の重複とは、要求内容が完全に一致する場合は勿論、表３に示す「通常発光」と「全て」との関係のように一部が一致する場合も該当する。ここで、要求内容の重複するものがある場合には、ステップＳＴ１１に進み、重複するものがない場合には、ステップＳＴ１４に進む。
【００７５】
ステップＳＴ１１では、ステップＳＴ８でスキャンされた設定要求における強制／禁止と、ステップＳＴ９〜ＳＴ１０で撮影条件区分の一致および要求内容の重複があるメモリ２９内の設定要求における強制／禁止とが一致するか否かを判定する。ここで、強制／禁止が一致する場合には、ステップＳＴ２０に進み、一致しない場合には、相反する撮影条件の設定要求が行われたと判断してステップＳＴ１２に進み優先順位を参照する。
【００７６】
ステップＳＴ１２では、ステップＳＴ８でスキャンされた設定要求の優先順位が、相反するメモリ２９内の設定要求の優先順位より高いかを判定する。ここで、優先順位が高い場合には、ステップＳＴ１５に進み、高くない場合には、ステップＳＴ１３に進む。
【００７７】
ステップＳＴ１３では、ステップＳＴ８でスキャンされた設定要求の優先順位が、相反するメモリ２９内の設定要求の優先順位より低いかを判定する。ここで、優先順位が低い場合には、ステップＳＴ１９に進み、低くない場合には、ステップＳＴ１７に進む。
【００７８】
ステップＳＴ１４では、ステップＳＴ８でスキャンされた設定要求をメモリ２９に記憶する。この動作は、例えば上述した具体例１のように各ＩＣタグＴａ、Ｔｂから同時に満足できる設定要求がなされる場合の処理となる。
【００７９】
ステップＳＴ１５では、ＩＣタグの設定要求をメモリ２９に上書して記憶する。この動作は、例えば上述した具体例２のように各ＩＣタグＴａ、Ｔｂから相容れない設定要求がなされる場合の処理となる。
【００８０】
ステップＳＴ１６では、メモリ２９に設定要求を上書きした旨の警告を行う。この警告では、例えば液晶モニタ１８において警告表示が行われたり、警告音が発せられる。
【００８１】
ステップＳＴ１７では、ステップＳＴ８でスキャンされた設定要求は調停できない旨の警告を行う。この動作は、上述した具体例３のように各ＩＣタグＴａ、Ｔｂから相容れない設定要求がなされ優先順位も同一の場合の処理となる。
【００８２】
ステップＳＴ１８では、ユーザが撮影条件を手動で設定する。これにより、優先順位に基づく調停ができない場合でも、撮影条件の設定を確実に行えることとなる。
【００８３】
ステップＳＴ１９では、ステップＳＴ８でスキャンされた設定要求は却下された旨の警告を行う。
【００８４】
ステップＳＴ２０では、ステップＳ７と同様に、ＩＣタグ内の全ての設定要求をスキャンして記憶する処理が完了したかを判定する。ここで、処理が完了した場合には、ステップＳＴ２１に進み、未完の場合には、ステップＳＴ８に戻る。
【００８５】
ステップＳＴ２１では、パラメータｍに(ｍ−１)を代入する。
【００８６】
ステップＳＴ２２では、メモリ２９に記憶されたＩＣタグからの設定要求に基づき、撮影条件を設定する。すなわち、ＩＣタグ内の優先順位の情報に基づき選定された撮影条件の設定要求に基づく撮影条件の設定も行われることとなる。そして、レリーズボタン１４がユーザによって全押しされた場合には、設定された撮影条件での撮影が行われる。
【００８７】
以上の撮像装置１の動作により、撮影条件の設定に関するＩＣタグの記憶情報に予め優先順位を付けておくため、複数のＩＣタグから相互に矛盾する情報を受信した場合でも適切な処理を行える。
【００８８】
なお、撮像装置１のユーザが所有するＩＣタグに対してのみ、例えばＩＣタグリーダ３０のＩＣタグライター機能を用いた優先順位の変更を可能とし、それ以外のＩＣタグに対しては変更できないようにしても良い。これにより、ユーザによる優先度合いの無秩序な変更を制限でき、優先度合いに関する運用の適正化を図れる。
【００８９】
また、最高に近い優先順位が記憶されるＩＣタグに対しては撮像装置１のユーザによる優先順位の変更を禁止するようにしても良い。具体的には、上述した１〜１０の数値で表される優先順位の上限近傍（例えば８〜１０）が記憶されるＩＣタグに関しては、撮像装置１において例えばＩＣタグリーダ３０のＩＣタグライター機能を用いた優先順位の書換え操作を行えないようにする。これにより、優先順位を折角高く設定していても変更が容易であれば優先順位の意義が実質的に失われてしまうという問題を解消できる。以上のように優先順位に関する無秩序な変更を制限することで、優先度合いに関する運用の適正化を図れることとなる。
【００９０】
また、ＩＣタグにおいては、その設置場所に応じて優先順位を定めるようにしても良い。例えば、公共の場所に設置されるＩＣタグの優先度合いを高く設定すれば、公共の場所における不適切な撮影を防止でき、場所に応じた優先順位のの適切な管理が可能となる。
【００９１】
＜変形例＞
◎上記の実施形態におけるＩＣタグ内の情報のスキャンについては、図５のフローチャートのようにレリーズボタン１４の半押し後に行うのは必須でなく、撮像装置で電源投入された直後に行ったり、撮影モード設定キー１５によって撮影条件を設定する際に行うようにしても良い。
【００９２】
◎本発明に係る撮像装置とは、上述したデジタルカメラに限らず、ビデオカメラや撮像機能を有するカメラ付き携帯電話なども該当する。
【図面の簡単な説明】
【００９３】
【図１】本発明の実施形態に係る撮像装置１を示す斜視図である。
【図２】撮像装置１の背面図である。
【図３】撮像装置１の機能ブロックを示す図である。
【図４】撮像装置１の周辺に２個のＩＣタグＴａ、Ｔｂが存在する一例を示す図である。
【図５】撮像装置１の基本的な動作を示すフローチャートである。
【符号の説明】
【００９４】
１  撮像装置
２  ＣＣＤ
１４  レリーズボタン
１５  撮影モード設定キー
１８  液晶モニタ
１９  電子ファインダ
２３  ＣＰＵ
２９  メモリ
３０  ＩＣタグリーダ
Ｔａ、Ｔｂ  ＩＣタグ
【図１】
2006246330.tif 000007
【図２】
2006246330.tif 000008
【図３】
2006246330.tif 000009
【図４】
2006246330.tif 000010
【図５】
2006246330.tif 000011